【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
ａ）消火区画と、点火区画と、前記消火区画と点火器区画の中間の燃焼区画と、を有する燃焼室と、
ｂ）前記燃焼室に前記点火区画で作動的に連結されている点火器と、
ｃ）前記燃焼室に前記消火区画で作動的に連結されている第１供給システムと第２供給システムであって、前記第１供給システムは、前記燃焼室へ燃料を供給するように構成されており、前記第２供給システムは、前記燃焼室へ酸化剤を供給するように構成されており、前記燃料と酸化剤は、結合して可燃性混合物を形成するように構成されている、第１及び第２供給システムと、を備えており、
ｄ）前記燃焼室は、前記可燃性混合物を供給して、前記消火区画から前記点火区画に向けて前記燃焼室を充填し、前記点火区画に隣接する前記点火器によって点火し、燃焼が、前記点火区画から前記燃焼区画を通って前記消火区画に向かって進み、その後消火するように構成されており、
ｅ）前記燃焼室に作動的に連結され、前記可燃性混合物の燃焼からエネルギーを抽出するよう構成されている少なくとも１つのエネルギー抽出装置を更に備えている、燃焼装置。  
【請求項２】
前記燃焼室は燃焼管を含んでいる、請求項１に記載の装置。
【請求項３】
ａ）ｉ）可燃性混合物用の入口を含む入口区画と、
ｉｉ）前記可燃性材料に点火するために前記入口区画から前記管の長さに沿って変位されている点火器を含む点火区画と、を有する細長い燃焼管と、
ｂ）前記可燃性混合物の燃焼からエネルギーを抽出するように構成され、前記燃焼管に作動的に連結されている少なくとも１つのエネルギー抽出装置と、を備えている燃焼装置。
【請求項４】
一次エネルギー抽出装置に比べると短い期間に亘って少量のエネルギーを抽出するために前記可燃性混合物の燃焼によって駆動される、前記燃焼管に作動的に連結されている二次エネルギー抽出装置を更に含んでいる、請求項３に記載の装置。
【請求項５】
燃焼は、前記点火区画から前記燃焼区画を通って前記消火区画に向かって超音速燃焼速度で進む、請求項２、３又は４の何れかに記載の装置。
【請求項６】
前記燃焼管の内側表面は表面凹凸を含んでおり、前記燃焼管を通る可燃性混合物の乱流化を促進し、それによって前記可燃性混合物の燃焼速度を高める、請求項２、３又は４の何れかに記載の装置。
【請求項７】
前記少なくとも１つのエネルギー抽出装置は、前記燃焼管の側面に作動的に連結されている、請求項２又は３に記載の装置。
【請求項８】
前記少なくとも１つのエネルギー抽出装置は、前記燃焼管の前記点火区画に近接している前記燃焼管の端部に作動的に連結されている、請求項２又は３に記載の装置。
【請求項９】
複数の燃焼管を更に含んでおり、前記少なくとも１つのエネルギー抽出装置は、前記複数の燃焼管に作動的に連結されており、前記複数の燃焼管内の可燃性混合物の燃焼からエネルギーを抽出するように構成されている、請求項２又は３に記載の装置。
【請求項１０】
前記複数の燃焼管のそれぞれを選択的に作動させるために、前記複数の燃焼管に作動的に連結されている燃焼制御システムを更に備えている、請求項９に記載の装置。
【請求項１１】
前記可燃性混合物の燃焼からのエネルギーを前記少なくとも１つのエネルギー抽出装置に送るように構成され、前記燃焼管の側面に形成されている複数のエネルギー放出ポートを更に備えている、請求項２又は３に記載の装置。
【請求項１２】
前記エネルギー抽出装置は、前記可燃性混合物の燃焼からのエネルギーによって駆動されるように構成され、前記燃焼管に作動的に連結されているピストンを含んでいる、請求項２、３又は４の何れかに記載の装置。
【請求項１３】
前記ピストンは、発電機、流体ポンプ、油圧ポンプ、空圧ポンプ及び機械的変換器から成るグループから選択される動力装置に作動的に連結されている、請求項１２に記載の装置。
【請求項１４】
前記エネルギー抽出装置は、タービン、スラストノズル及び圧力管から成るグループから選択される、請求項２、３又は４の何れかに記載の装置。
【請求項１５】
前記燃焼管に作動的に連結され、前記燃焼混合物が前記燃焼管に入る速度を制限するよう構成されている流れ制限装置を更に備えている、請求項２又は３に記載の装置。
【請求項１６】
ａ）前記燃焼管に緩衝材料を導入するように構成され、前記燃焼管に作動的に連結されされている第３供給システムを更に備えており、
ｂ）前記燃焼管は、前記可燃性混合物と前記緩衝材料を供給し、同時に前記管を層状に充填するように構成されている、請求項２又は３に記載の装置。
【請求項１７】
前記燃焼管の内径に隣接する環状経路内で前記燃焼管を前記緩衝材料で充填するように構成され、前記第３供給システムと前記燃焼管の中間に作動的に連結されている環状入口ポートを更に備えている、請求項１６に記載の装置。
【請求項１８】
前記燃焼管の長さの、前記燃焼管の内径に対する割合は、５：１より大きい、請求項２又は３に記載の装置。
【請求項１９】
前記燃焼管の長さは１５ｃｍ未満である、請求項２又は３に記載の装置。
【請求項２０】
前記燃焼管は、前記入口区画から前記点火区画に向けて前記可燃性混合物で充填されるように構成されており、燃焼は、前記点火区画から離れて前記燃焼管を通って進む、請求項３に記載の装置。
【請求項２１】
前記燃焼管の前記入口区画に隣接する部位に、それぞれ作動的に連結されている第１供給システムと第２供給システムを更に備えており、前記第１供給システムは燃料を前記燃焼管に供給するように構成されており、前記第２供給システムは酸化剤を前記燃焼管に供給するよう構成されており、前記燃料と酸化剤は、結合して可燃性混合物を形成する、請求項３に記載の装置。
【請求項２２】
前記燃焼管の長さは内燃機関のシリンダーである、請求項４に記載の装置。
【請求項２３】
ａ）入口区画から、少なくとも１つの燃焼管を可燃性材料で充填する段階と、
ｂ）前記可燃性材料に、前記入口区画から前記燃焼管の長さに沿って変位されている点火器を使って前記管の点火区画で点火し、燃焼が前記点火区画から離れて前記管を通って進む段階と、
ｃ）少なくとも１つのエネルギー抽出装置を使って、前記可燃性材料の燃焼からエネルギーを抽出する段階と、から成るエネルギーを抽出する方法。
【請求項２４】
前記可燃性材料を燃焼させる段階は、前記可燃性材料を超音速燃焼速度で燃焼させる段階を含んでいる、請求項２２に記載の方法。
【請求項２５】
前記可燃性材料の燃焼からエネルギーを抽出する段階は、前記燃焼管の側面からエネルギーを抽出する段階を含んでいる、請求項２２に記載の方法。
【請求項２６】
前記可燃性材料の燃焼からエネルギーを抽出する段階は、前記燃焼管の端部からエネルギーを抽出する段階を含んでいる、請求項２２に記載の方法。
【請求項２７】
前記少なくとも１つの燃焼管を可燃性材料で充填し、前記可燃性材料に点火する段階は、複数の燃焼管を選択的に充填し、点火する段階を含んでいる、請求項２２に記載の方法。
【請求項２８】
前記可燃性材料の燃焼からエネルギーを抽出する段階は、ピストンを使ってエネルギーを抽出する段階を含んでいる、請求項２２に記載の方法。
【請求項２９】
前記ピストンによって抽出されたエネルギーを、電気、流体的動力及び機械的動力から成るグループから選択される代替形態に変換する段階を更に含んでいる、請求項２７に記載の方法。
【請求項３０】
前記可燃性材料の燃焼からエネルギーを抽出する段階は、タービン、スラストノズル及び圧力室から成るグループから選択される二次的動力出力を使ってエネルギーを抽出する段階を含んでいる、請求項２２に記載の方法。
【請求項３１】
流れ制限装置を使って前記可燃性材料の前記燃焼管への流量を制限する段階を更に含んでいる、請求項２２に記載の方法。
【請求項３２】
前記燃焼管を緩衝材料と前記可燃性材料で同時に層状に充填する段階を更に含んでいる、請求項２２に記載の方法。